(57)【特許請求の範囲】
【請求項１】
特殊効果のためにＤＶＤ媒体においてソースビデオを編集する方法であって、
複数のソースピクチャからなるソースビデオ信号を受信するステップと、
上記ＤＶＤ媒体上の選択された選択ピクチャフレームに、各ソースビデオピクチャを記録するステップと、
上記ＤＶＤ媒体上の上記選択ピクチャフレームの近傍にあるｓ−１個のフレームに、上記選択ソースビデオピクチャのｓ−１個のコピーを、ユーザの選択した記録時間ｔに応答してｔ秒間、記録するステップとを含み、
ｓは、ユーザの選択したモーション速度によって定まる整数である、方法。
【請求項２】
上記ユーザの選択したモーション速度は、通常時のモーション速度に対して１／ｓ倍低速である、請求項１記載の方法。
【請求項３】
開始時刻ｔ０から終了時刻ｔ０＋ｔまで上記１／ｓ倍のモーション速度で、上記ソースビデオを記録するステップを更に含む、請求項１記載の方法。
【請求項４】
特殊効果のためにＤＶＤ媒体においてソースビデオを編集する方法であって、
複数のソースピクチャからなるソースビデオ信号を受信するステップと、
上記ＤＶＤ媒体上への映像のファーストモーション記録を要求するユーザ要求、及び、選択したモーション速度ｎに対するユーザの入力を受信するステップと、
上記ソースビデオピクチャの各ｎ番目毎のソースビデオピクチャのみを、選択ソースビデオピクチャとして選択するステップと、
上記ＤＶＤ媒体上の選択された選択ピクチャフレームに、上記選択ソースビデオピクチャのそれぞれを記録するステップとを含み、
ｔ秒の上記ソースビデオが、ユーザの選択した記録時間ｔに応じて記録され、ｎが、ユーザの選択したモーション速度によって定まる整数値である、方法。
【請求項５】
上記ユーザの選択したモーション速度は、通常時のモーション速度に対してｎ倍高速である、請求項４記載の方法。
【請求項６】
開始時刻ｔ０から終了時刻ｔ０＋ｔまで上記ｎ倍のモーション速度で、上記ソースビデオを記録するステップを更に含む、請求項５記載の方法。
【請求項７】
選択されないソースビデオピクチャを破棄するステップを更に含む、請求項４記載の方法。
【請求項８】
特殊効果のためにＤＶＤ媒体においてソースビデオを編集する記録可能なＤＶＤデバイスであって、
複数のソースピクチャからなるソースビデオ信号を受信するデコード手段と、
上記ＤＶＤ媒体上の選択された選択ピクチャフレームに各ソースビデオピクチャを記録すると共に、上記選択ピクチャフレームの近傍にあるｓ−１個のフレームに、上記選択ソースビデオピクチャのｓ−１個のコピーを、ユーザの選択した記録時間ｔに応答してｔ秒間、記録する記録手段とを含み、
ｓは、ユーザの選択したモーション速度によって定まる整数である、ＤＶＤデバイス。
【請求項９】
上記ユーザの選択したモーション速度が、通常時のモーション速度に対して１／ｓ倍低速である、請求項８記載のＤＶＤデバイス。
【請求項１０】
上記記録手段が、ユーザの選択した記録時間ｔに応じてｔ秒の上記ソースビデオを記録するタイミング手段を更に含む、請求項９記載のＤＶＤデバイス。
【請求項１１】
上記タイミング手段によって、開始時刻ｔ０から終了時刻ｔ０＋ｔまで上記１／ｓ倍のモーション速度で、上記ソースビデオを記録するように制御される、請求項１０記載のＤＶＤデバイス。
【請求項１２】
特殊効果のためにＤＶＤ媒体においてソースビデオを編集する記録可能なＤＶＤデバイスであって、
複数のソースピクチャからなるソースビデオ信号を受信するデコード手段と、
上記ＤＶＤ媒体上への映像のファーストモーション記録を要求するユーザ要求、及び、選択したモーション速度ｎに対するユーザの入力を受信する制御手段と、
上記ソースビデオピクチャの各ｎ番目毎のソースビデオピクチャのみを、選択ソースビデオピクチャとして選択する映像処理手段と、
上記ＤＶＤ媒体上の選択された選択ピクチャフレームに、上記選択ソースビデオピクチャのそれぞれを記録する手段と、
ユーザの選択した記録時間ｔに応じてｔ秒の上記ソースビデオを記録するタイミング手段とを含み、
ｎが、ユーザの選択したモーション速度によって定まる整数値である、ＤＶＤデバイス。
【請求項１３】
上記ユーザの選択したモーション速度は、通常時のモーション速度に対してｎ倍高速である、請求項１２記載のＤＶＤデバイス。
【請求項１４】
記録するための手段は、上記タイミング手段に応答して、開始時刻ｔ０から終了時刻ｔ０＋ｔまで上記ｎ倍のモーション速度で、上記ソースビデオを記録する、請求項１３記載のＤＶＤデバイス。
【請求項１５】
上記映像処理手段は、選択されないソースビデオピクチャを破棄する、請求項１２記載のＤＶＤデバイス。
【発明の詳細な説明】
【０００１】
＜発明の背景＞
［技術分野］
進歩性のある改善は、一般的に、記録可能なデジタル映像ディスク、ハードドライブ、光磁気ディスク等のディスク媒体に記録された音声のみ、映像のみ、及び映像及び音声の双方のプログラムに対する画期的な動作特性を提供する方法及び装置に関する。
【０００２】
［関連技術の説明］
種々のデバイスが開発されて、ユーザが映像及び／又は音声プログラムを記録できるようになってきている。かかるデバイスは、テープレコーダ、ビデオカセットレコーダ、記録可能なコンパクトディスク、及び、最近では記録可能なデジタルビデオディスク（ＤＶＤ）を含む。ハードドライブ及び光磁気ディスクも使用されている。
【０００３】
一度だけ記録できるＤＶＤは、その後は実質的にＤＶＤ読み取り専用メモリであり、略語ＤＶＤ−Ｒと称される。また、略語ＤＶＤ−Ｒは、一度だけの書込み若しくは一度だけの記録型の（追記型）技術を称する為に一般的に用いられる。幾つかのフォーマットは、記録、消去、再記録されるＤＶＤに対して利用可能である。これらは、略語ＤＶＤ−ＲＡＭ、ＤＶＤ−ＲＷ、及びＤＶＤ＋ＲＷと称される。この時点において、画一化された産業規格は採用されていない。略語ＤＶＤ−ＲＡＭ、ＤＶＤ−ＲＷ、及びＤＶＤ＋ＲＷのそれぞれは、書き換え可能型の技術を称する為に一般的に用いられる。ここで書き換え可能型のＤＶＤ技術について言及するに、デバイス及び方法は、現に使用されているすべての規格と共に将来的に発展しうる規格を包囲するように意図されている。
【０００４】
多くの場合、プログラム再生出力は、後のより都合の良い時間での再生出力のため、見る人（ビューア）及び／又は聴く人（リスナー）がいない状態で記録される。これは、プログラムをタイムシフトする、と称される。他の時刻では、プログラムは、記録されずに見られ及び／又は聴かれており、記録には一切の関心がないが、ビューア及び／又はリスナーの注意は、例えば電話呼び出しや予期せぬ来客によって邪魔される。例えば、ビューア及び／又はリスナーがテレビジョンプログラムを見ており、ＶＣＲにカッセットテープがあるか若しくは直ちに取り出してロードできる場合、当該プログラムは記録できる。しかし、ビューア及び／又はリスナーは、記録が完了するまで、当該プログラムの全部を適切な時系列で見ること及び／又は聴くことができない。記録の完了時間は、プログラムの長さに依存して、短く若しくは長くすることができる。
【０００５】
書き換え可能型のＤＶＤ技術は一般的に利用可能であるが、動作は、再生、記録、早送り戻し及び停止のような基本機能に限定されている。一時停止は利用可能であるが、例えば記録されたプログラムの再生を中断したり、若しくはコマーシャルを記録しないように見ているプログラムの記録を中断するという、ＶＣＲの一時停止動作の同類に過ぎない。コンピューターハードドライブと異なり、書き換え可能ＤＶＤディスクは、記録されたＤＶＤを再生するという、非常に重要な追加機能を有する。従って、コンピューターハードドライブに代わって使用できる、方法及びデバイスを含む書き換え可能型のＤＶＤ技術を発展させる経済的な動機付けが存在する。かかるデバイスに、コストを低減し売上を上げるという目標を妥協することなく、改善された効果的な特徴を付与することが課題である。
【０００６】
例えば、特殊効果を生む一の有用な特徴は、記録可能なＤＶＤ媒体にソース映像をスローモーション若しくはファーストモーションで記録することを含む。スローモーション型記録は、スポーツ番組、若しくは、ユーザが記録風景をスローモーションで再生することを望む場合のような環境において望ましい。ファーストモーション型記録は、記録風景がファーストモーションで再生されるべき自然研究若しくは他の映像記録に対して適切でありうる。
【０００７】
＜発明の概要＞
本発明は、スローモーション記録する特殊効果のための、ＤＶＤ媒体におけるソースビデオの編集方法に関する。本方法によると、ＤＶＤデバイスは、複数のソースピクチャからなるソースビデオ信号を受信する。ソースビデオピクチャのそれぞれは、ＤＶＤ媒体上の選択された選択ピクチャフレームに記録される。次いで、ＤＶＤ媒体上の選択ソースビデオピクチャのｓ−１個のコピーが、選択ピクチャフレームの近傍のｓ−１個のフレームに記録される。ここで記載するような本発明の目的のため、ｓは、ユーザの選択するモーション速度によって定まる整数値であることができる。ユーザの選択したモーション速度は、通常時のモーション速度に対して１／ｓ倍低速であるだろう。本方法の１局面によると、本発明は、ユーザの選択した記録時間ｔに応じてｔ秒のソースビデオを記録するステップを含むことができる。特に、このステップは、開始時刻ｔ０から終了時刻ｔ０＋ｔまで（１／ｓ）Ｘのモーション速度でソースビデオを記録することを含む。
【０００８】
代替実施例では、本方法は、ファーストモーション記録の特殊効果のためＤＶＤ媒体においてソースビデオを編集するために用いることができる。かかる場合、ＤＶＤデバイスは、複数のソースピクチャからなるソースビデオ信号を受信する。ソースビデオピクチャうちの各ｎ番目のソースビデオピクチャのみが、選択ソースビデオピクチャとして選択される。各選択ソースビデオピクチャは、ＤＶＤ媒体上の選択されたピクチャフレームに記録される。選択されないソースビデオピクチャは、破棄される。本発明によると、数値ｎは、ユーザの選択したモーション速度によって定まる整数値であることができる。
【０００９】
ファーストモーション記録のための方法の１局面によると、システムは、通常時のモーション速度に対してｎ倍高速であるユーザの選択したモーション速度に対応する。システムは、ユーザの選択した記録時間ｔに応じてｔ秒のソースビデオを記録できる。ソースビデオは、その後、開始時刻ｔ０から終了時刻ｔ０＋ｔまでｎＸのモーション速度で記録される。
【００１０】
代替実施例では、本発明は、スローモーション記録の特殊効果のために、ＤＶＤ媒体においてソースビデオを編集するためのＤＶＤデバイスに関する。ＤＶＤデバイスは、複数のソースピクチャからなるソースビデオ信号を受信するデコーダを有する。適切なＤＶＤ記録回路と協働する制御ＣＰＵは、ＤＶＤ媒体上の選択された選択ピクチャフレームに各ソースビデオピクチャを記録する。次いで、ＣＰＵ及び記録回路は、ＤＶＤ媒体上の選択ピクチャフレームのｓ−１個のコピーを、選択ピクチャフレームの近傍のｓ−１個のフレームに記録する。ここで言及するような本発明の目的のため、数値ｓは整数値であることができる。整数値は、適切なユーザインターフェースを介して与えられたユーザ選択モーション速度によって決定することができる。結果としてのユーザ選択モーション速度は、通常時のモーション速度に対して１／ｓ倍低速となる。ＤＶＤデバイスは、特殊効果の記録時間を指定するユーザ入力を受信するための拡張機能型のバッファを含むことも可能である。ＣＰＵは、ユーザ選択記録時間ｔに対応するｔ秒のソースビデオを記録することによって、ユーザ入力に応答することになる。特に、ＣＰＵは、Ｘが元の記録画像のモーションに一致する通常時のモーション生成及び記録速度を表わす場合において、開始時刻ｔ０から終了時刻ｔ０＋ｔまで（１／ｓ）Ｘのモーション速度でソースビデオを記録するように、記録処理を制御する。
【００１１】
代替実施例では、ＤＶＤデバイスは、ファーストモーション記録の特殊効果のために、ＤＶＤ媒体においてソースビデオを編集するために用いることができる。かかる場合、ＤＶＤデバイスは、複数のソースピクチャからなるソースビデオ信号をＴＶデコーダで受信する。ＣＰＵは、ビデオ処理回路と協働して、選択ソースビデオピクチャにおけるｎ番目毎のソースビデオピクチャのみを選択する。ＣＰＵは、ＤＶＤ記録回路と協働して、ＤＶＤ媒体の選択ピクチャフレームに、各選択したソースビデオピクチャが記録されるようにする。ＣＰＵは、選択されないソースビデオが破棄されるようにする。本発明によると、ｎは、拡張機能型のバッファを介して受信したユーザの選択したモーション速度によって決定される整数値である。
【００１２】
ファーストモーション記録のためのＤＶＤデバイスにおいて、拡張機能型の入力バッファ及び制御ＣＰＵは、通常のモーション速度よりもｎ倍の高速であるユーザの選択したモーション速度に応答する。制御ＣＰＵは、ユーザの選択したｔ秒の記録時間に対応してｔ秒のソースビデオが記録されるようにする。ソースビデオは、Ｘが元の記録画像のモーションに一致する通常時のモーション生成及び記録速度を表わす場合において、開始時刻ｔ０から終了時刻ｔ０＋ｔまでｎＸのモーション速度で記録される。
【００１３】
＜好ましい実施例の詳細な説明＞
［記録可能なＤＶＤデバイス］
図１のブロック図には、本発明による書き換え可能なディスク媒体１０２を用いる、ここで教授される本発明による種々の改良された動作機能を実現するデバイス１００が示される。書き換え可能なディスク媒体１０２は、書き換え可能なＤＶＤとして具現化されている。多くの例では、注記されるように、書き換え可能なディスク媒体は、例えばハードドライブ若しくは光磁気ディスク（ＭＯＤ）であることができる。ＭＯＤの一例は、ミニディスクである。多くの例では、本発明は、映像若しくは音声又は映像及び音声の双方に適用可能である。
【００１４】
デバイス１００は、本例では書き換え可能なＤＶＤ１０２である記録可能なＤＶＤ媒体に対して書き込み及び読み出しすることができる。デバイスは、機械的な組立体１０４と、制御部１２０、音声／映像入力処理パス１４０と、音声／映像出力処理パス１９０とを含む。異なる部分若しくはパスへの大部分のブロックの割り当ては自明であるが、幾つかのブロックの割り当ては、便宜上のものであり、デバイスの動作を理解するのに重要なものでない。
【００１５】
機械的組立体１０４は、ディスク１０２を回転させるモータ１０６と、回転するディスクの上を移動するように構成されたピックアップ組立体１０８とを有する。ピックアップ１０８およびモータ１０６は、サーボ１１０によって制御される。ピックアップ組立体１０８のレーザは、ディスク上の螺旋状トラック上の点を焼き付け、若しくは、トラック上に既に焼き付けられた点を照射し、映像／音声プログラム題材を記録及び再生する。本発明の理解のため、ディスクが片面若しくは両面で記録可能であるか否か、両面記録若しくはディスクからの連続的な読み出しが、ディスクの同一面から若しくは両面から生じるか否かは、重要でない。サーボ１１０は、ディスク１０２の螺旋状トラックから読み出されたデータの再生信号を、第１入力として受信することができる。また、再生信号は誤り訂正回路１３０への入力でもあり、この誤り訂正回路１３０は、制御部の一部または映像／音声出力処理経路の一部と考えることが可能である。
【００１６】
制御部１２０は、中央処理装置（制御ＣＰＵ）１２２およびナビゲーション・データ生成回路１２６を含む。制御ＣＰＵ１２２は、第１入力信号をナビゲーション・データ生成回路１２６に供給し、サーボ１１０は、第２入力信号をナビゲーション・データ回路１２６に供給する。サーボは、制御部１２０の一部と考えることも可能である。ナビゲーション・データ生成回路１２６は、映像／音声入力処理経路１４０の一部を形成するマルチプレクサ（ＭＵＸ）１５４に第１入力信号を供給する。
【００１７】
制御ＣＰＵ１２２は、好ましくは、図１に示されるようなトラック・バッファ１７２およびレコード・バッファ１５２に含まれるデータにアクセスする。ＣＰＵ１２２は、本発明を実行するためにトラック・バッファ１７２およびレコード・バッファ１５２に格納された映像データを消去、修正および再フォーマットすることが可能である。制御およびデータ・インターフェースが好ましくは設けられ、ＣＰＵ１２２によりパケット映像エンコーダ１４４および音声エンコーダ１４８の動作を制御可能にする。適切なソフトウェアまたはファームウェアが、ＣＰＵ１２２により実行される従来の動作のためにメモリに用意される。さらに、拡張機能１３４のためのプログラム・ルーチンが、以下に詳細に説明される本発明に従ってＣＰＵ１２２を制御するために用意される。
【００１８】
ビューアが起動可能な（viewer activatable）機能のためのコントロール・バッファ１３２は、目下利用可能な機能、すなわち再生、記録、リバース、早送り、一時停止／再生および停止のような機能を示す。一時停止はＶＣＲにおける一時停止動作に対応するものであり、例えば記録されたプログラムの再生を手動で中断したり、若しくはコマーシャルを記録しないように見ているプログラムの記録を手動で中断するものである。別個のポーズ・バッファ１３６は、記録および再生機能中に一時停止を実行する命令を受信するよう設けられる。
【００１９】
映像／音声入力処理経路１４０は、例えばＮＴＳＣまたはＰＡＬの従来のテレビジョン信号を、例えばＭＰＥＧ−１またはＭＰＥＧ−２のディジタル化されたパケット・データに変換し、装置１００によってディジタル記録する信号処理回路である。入力経路１４０は、ＮＴＳＣデコーダ１４２および例えばＭＰＥＧ−１またはＭＰＥＧ−２のような映像に関する映像エンコーダ１４４を含むと共に、音声アナログ・ディジタル変換器（Ａ／Ｄ）１４６および例えばＭＰＥＧ−１またはＭＰＥＧ−２のような音声エンコーダ１４８を含む。ディジタル信号は、全パケットが構築されるまで、マルチプレクサ１５０で結合され、レコード・バッファ１５２で格納される。パケットのグループが作成されると、それらはＭＵＸ１５４においてナビゲーション・データ生成回路１２６の出力と結合され、誤り訂正符号回路１２８に送信される。誤り訂正符号回路１２９は入力経路１４０の一部として考えることも可能である。
【００２０】
現実的には、ＤＶＤの螺旋状トラック上の最小のアクセス可能なユニットは、１６セクタのＥＣＣ（誤り訂正コード；error correction code）ブロックであり、各セクタは、２０４８バイトのユーザデータを含む。グループは、例えば１２個のような多数のＥＣＣブロックである。ブロックの各グループは、約０．５秒の合成された音声及び映像プログラム題材を表わす。ＥＣＣブロックのグループを記録するのに必要な螺旋状トラックに沿った直線スペースの量、例えば１９２セクタは、螺旋状トラックのセグメントとしてここで定義される。従って、レコード・バッファは、データの一セグメントを記憶するのに十分な大きさあればよいと考えることができる。データの一セグメントは、例えば、約０．５秒の音声及び映像プログラム題材に対応することができる。
【００２１】
出力処理経路１７０は、トラック・バッファまたは出力バッファ１７２を含み、当該バッファで、ディスクから読み出されたデータが、更なる処理のためにパケットに組み立てられる。パケットは、条件付きアクセス回路１７４によって処理され、デマルチプレクサ１７６を通じた映像および音声処理用の各々の経路内へのパケットの伝播が制御される。したがって、トラック・バッファ１７２は、略０．５秒の音声及び映像プログラム題材に対応するデータの一セグメントを記録するのに十分な十分な大きさあればよいと考えることができる。
【００２２】
映像は、デコーダ１７８によって例えばＭＰＥＧ−１またはＭＰＥＧ−２からデコードされ、例えばＮＴＳＣまたはＰＡＬのような従来のテレビジョン信号としてエンコードされる。音声は、回路１８２によって例えばＭＰＥＧ−１またはＭＰＥＧ−２からデコードされ、音声用Ｄ／Ａ変換器１８４によってアナログ形式に変換される。出力処理経路１７０は、前述したように、誤り訂正回路１３０を含むと考えることも可能である。
【００２３】
特に、本発明は、ハードウェア、ソフトウェア、若しくはそれらの組み合わせにおいて実現することが可能である。本発明による機械読取り可能な記憶装置は、例えば制御ＣＰＵ１２２のような一のコンピューターシステムにおける集中型の態様で、若しくは、幾つかの相互結合したコンピューターシステムにわたって異なる素子が散らばっている分散型の態様で実現できる。ここで説明する方法を実現するための如何なる種のコンピューターシステム若しくは他の装置であっても適用可能である。
【００２４】
具体的には、ここで説明する本発明は、図１の制御ＣＰＵ１２２を意図したものであるが、ハードウェア及びソフトウェアの典型的な組み合わせは、ロード若しくは実行時に、図１の制御部１２０に類するＤＶＤ記録システム及びコンピューターシステムをここで説明する方法を実現するように制御するコンピュータープログラム、を備えた標準仕様のコンピューターでありうる。本発明は、ここで説明する方法の実現を可能とするすべての特徴を含むコンピュータープログラムで実現することも可能であり、このコンピュータープログラムは、コンピューターシステムにロードされたとき、これらの方法を実現することができる。
【００２５】
本内容におけるコンピュータープログラムは、言語、コード、符合の種類を問わず、情報処理能力を有したシステムをして特定の機能を、直接的若しくは間接的であれ次の事項ａ）、ｂ）のいずれか若しくは双方であれ、実行させることを意図した指令のセットの表現を意味することができる。ａ）その他の言語、コード、符合への変換、ｂ）異なる題材形式での表現。ここで開示される本発明は、コンピュータープログラム内に組み込まれた方法であることも可能であり、上述の制御ＣＰＵ１２２と互換性のある商業的に入手可能なシステム動作用の開発ツールを用いたプログラマーによって実現可能である。
【００２６】
［ＤＶＤ媒体］
本発明を説明するために、プログラム題材が、書き換え可能なＤＶＤに記録され、書き換え可能なＤＶＤから再生される。図２に示す書き換え可能なＤＶＤ１０は、デバイス１００においてディスク１０２として好適である。ディスク１０は、中央部に穴エンコーダ１４４を有した、平らで円形な合成樹脂製のプレート状の部材１２によって形成される。書き換え可能なＤＶＤは、厚さ１．２ｍｍのディスクを形成する接着層により結合された２つの基板より形成されることができる。中心孔１４は、ディスクの中心に形成されており、図１のモータ１０６のグリップ装置がディスクを確実にグリップし、本発明により角度方向のディスクの運動を制御する。
【００２７】
トラックへの記録の方向は、典型的には、螺旋状トラック１６に沿って外向きに、螺旋の小径部から大径部に至る。いくつかの３つの大きな点（・・・）は、図示されていない螺旋の部分を示す。結果として、螺旋状トラックの開始部は、正方形１８によって指示される穴１４の近傍である。螺旋状トラックの終了部は、ダイアモンド形２０によって指示されるリムの端部近傍である。当業者であれば、上述のように螺旋の開始及び終了部を定義することを一般的に受け入れる。本発明による一定の拡張機能は、逆方向の記録、即ち螺旋の大径部から小径部に至る記録を利用する。トラックは、図には示されていないが横方向の揺らぎ（サイド・トゥ・サイド・ウォブル）を有することができ、媒体形式の指標を収納する。縮尺の便宜上、螺旋１６の部分のみが示され、非常に拡大して描かれている。
【００２８】
螺旋の略円形の同心状の部分のそれぞれは、しばしばトラックと呼ばれるが、この用語は、当該特定の意味を有するものとして一般的に受け入れられていない。ＣＤ−ＲＯＭにおいて、例えば用語トラックは、一の楽曲を含む螺旋状トラックの部位を称するのにも使用され、同一事項がＤＶＤに対しては一般的に当てはまらない場合もありうる。
【００２９】
［ＤＶＤデータ構造］
図３に示すように、各ＤＶＤは、ビデオ・マネジャー２６とビデオ・タイトル・セット（ＶＴＳ）２８とを含む。ＶＴＳは、ビデオ・タイトル・セット・インフォーメーション（ＶＴＳＩ）２７と、メニュー用の任意的なビデオ・オブジェクト・セット２９と、実際のタイトルコンテンツを含む１若しくはそれ以上のタイトル用ＶＯＢＳ３０とを含む。また、各ＶＯＢＳ３０は、複数のビデオ・オブジェクト３２を含む。各ビデオ・オブジェクト３２は、複数のセル３４を含む。各ＶＯＢＳは、セルへのポインターの集合からなる。このようにして、ＶＯＢＳデータは、セルを相互にリンクし、どの命令でプログラム若しくはセルが再生されるべきかを指示する。特定のＶＯＢＳ内のセルは、所望の順番で再生されるようにフラグのセットが可能である。例えば、それらは、連続的若しくはランダムに再生できる。
【００３０】
各セルは、複数のＶＯＢＵｓ３６を含む。ディスクのビデオコンテンツが中に常駐するＶＯＢＵｓ３６のそれぞれは、典型的には、０．４〜１．０秒の再生出力題材を含む。各ＶＯＢＵ３６は、データパックの記録順でのシーケンスである。各ＶＯＢＵは、正確に１つのナビゲーション・パック（ＮＶ＿ＰＣＫ）３８から開始し、ビデオ・パック（Ｖ＿ＰＣＫ）３９、オーディオ・パック（Ａ＿ＰＣＫ）４０、サブ−ピクチャ・パック（ＳＰ＿ＰＣＫ）４２を含む、すべての後続するパックを内包しうる。各ＶＯＢＵは、初期的には、ピクチャの１つのグループ（ＧＯＰ）から構成される。
【００３１】
ＮＶ＿ＰＣＫ３８は、データ検索情報と共に再生出力制御情報（ＰＣＩ；Presentation Control Information）を含む。データ検索情報は、再生の“トリック”モード、即ち、通常の再生、停止及び一時停止以外のＤＶＤデバイス動作のモードを実現するときに有用である。データ検索情報（ＤＳＩ；Data Search Information）の一局面は、現在のＮＶ＿ＰＣＫに対応するＶＯＢＵ内の参照ピクチャをデコーダが見出せるように補助することである。ＤＳＩの他の局面は、現在のＶＯＢＵを基準とした、再生出力の将来若しくは過去までのＶＯＢＵｓをデコーダが見出せるように補助することである。現在のＶＯＢＵ再生出力を基準とした、過去のＶＯＢＵｓは、ＢＷＤＩ（バックワードインフォメーション）として知られるＮＶ＿ＰＣＫのフィールドに参照される。現在のＶＯＢＵ再生出力を基準とした、将来のＶＯＢＵｓは、ＦＷＤＩ（フォーワードインフォメーション）として知られるＮＶ＿ＰＣＫのフィールドに参照される。
【００３２】
各ＶＯＢＵｓは、分岐（ブランチング）や対話（インタラクティブ）機能を許可するナビゲーションコマンドを含むことができる。これらのナビゲーションコマンドは、プレコマンドのセットとしてＶＯＢＵの部分として含むことができる。これらのプレコマンドには、セル３４のＮＶ＿ＰＣＫ３８内で特定される任意的なナビゲーションコマンドが後続でき、このコマンドは、セルが現れた後に実行される。最後に、これらには、任意的なポストコマンドのセットがＶＯＢＵｓ内で後続されてよい。これらのコマンドのすべては、ＶＯＢＳ内のテーブルに記憶され、繰り返し使用できるように番号により参照できる。ナビゲーションコマンドは、ブランチング若しくは対話機能に関連した多様な動作を実行するために制御ＣＰＵ１２２に向けられる。例えば、これらは、ＧＯＴＯ、ｌｉｎｋ，ｊｕｍｐ，ｅｘｉｔ等のようなコマンドによるフロー制御を供することができる。
【００３３】
有益であろうことは、ここで教授された画期的な機能が、他の種のディスク媒体及びディスク媒体プレーヤ及びレコーダに適用できることである。更に、図１に示されるデバイスの種々の修正型及び図２に示されるディスク媒体は、本発明によるここで教授された画期的な機能を実現するために組み合わせて使用することもできる。特に、本発明によるソースビデオをスロー若しくはファーストモーションに編集するための解決手段は、記録可能なＤＶＤ媒体にデータを記録するためのハードウェア及び制御ＣＰＵ１２２におけるファームウェア及びソフトウェアの修正・付加を含むことができる。
【００３４】
［記録可能な媒体にソースビデオをスローモーション若しくはファーストモーションで編集］
本発明は、記録セクション中に、ソースビデオを編集することと、記録可能なＤＶＤにスロー若しくはファーストモーションピクチャーを記録することとを可能とする方法を提供する。ユーザは、記録セクション中にソースビデオを編集したいかどうかを決定することができる。ソースビデオのセグメントを“１／ｓ”の速度でスローモーションピクチャに記録することを決定した後、ユーザは、ソースビデオ出力を停止し、ソースビデオをスローモーションピクチャの所望の開始点、時刻“ｔ０”まで巻戻すことができる。好ましい実施例によると、ユーザ入力は、選択されたソースセグメント及びスローモーション速度“１／ｓ”を、拡張機能型のバッファ１３６を介して特定するように付与できる。ソースセグメントは、あらゆる適切な手法で特定することもできる。一実施例によると、選択されたソースビデオセグメントは、時刻ｔ０で開始して通常再生速度で“ｔ”秒でリプレイされたソースビデオを具体的に指定するユーザ入力であることができる。時刻ｔ０は、開始時刻を特定するユーザ入力によって指定することができる。或いは、ユーザは、ソースビデオセグメントに対応した開始時及び終了時を入力することができる。当業者であれば、ソースビデオが選択される正確な態様は本発明にとって特に重要ではなく、本発明はこの点に限定されることを意図したものでないことを、理解するだろう。
【００３５】
図４は、複数のフレーム４０２，４０４，４０６からなる典型的なＧＯＰｓのセットを示す。フレームは、本分野で公知であるＩ，Ｂ，Ｐタイプのフレームを含むことができる。フレーム４０２，４０４，４０６は、ＭＰＥＧフォーマットにより配列される。“ｔ０”から“ｔ０＋ｔ”の時間間隔で、ＮＴＳＣデコーダからの各ソースピクチャＰ１乃至Ｐ９は、ＧＯＰを構成するＩ，Ｂ，Ｐフレームの一のフレームにＭＰＥＧピクチャとして格納されるだろう。例えば、ソースビデオＰ１は、Ｉフレーム４０２に格納されるだろう。更に、ソースピクチャＰ１乃至Ｐ９は、ＭＰＥＧエンコーダ１４４にＭＰＥＧピクチャの連続の“ｓ−１”のコピーを生成するために適用されるだろう。例えば、図４では、Ｐ１は２回コピーされ、図示のように隣接するＢフレーム４０４に格納されるだろう。一般的に、エンコーダ１４４がＭＰＥＧピクチャを完成した後、エンコーダ１４４は、先のＭＰＥＧピクチャを単に繰り返す“ｓ−１”のダミーＭＰＥＧピクチャを連続的に生成するだろう。ダミーピクチャは、好ましくは、図示のように元のピクチャの近傍のフレーム位置に格納されるだろう。１／３Ｘのスローモーション記録が、図４に示されており、Ｘは、元の記録画像の動き（モーション）に一致する通常時のモーション再生及び記録速度を表わす。図４では、ｓの値は、３に等しい。しかし、本発明はこの点に限定されない。代わりに、当業者であれば、本発明は、より早い若しくは遅い記録速度にも適用可能であることを容易に理解するだろう。
【００３６】
具体的には、約数百ビットのデータだけが、ダミーＭＰＥＧピクチャーを生成するために使用されるだろう。ＭＰＥＧデコーダは、ダミーＭＰＥＧピクチャをエンコードするのに十分な時間を必要としないので、スローモーション記録は、実時間記録であるべきであり、即ち、全体の“ｓｔ”秒のスローモーションピクチャは、“ｔ”秒でエンコードされるだろう。時刻“ｔ０＋ｔ”後、制御ＣＰＵは、好ましくは、エンコーダ１４４を通常のビデオエンコードモードに自動的に復帰させ、各ソースピクチャＰ１乃至Ｐ９は、一のＭＰＥＧピクチャ若しくはフレームを生成するために用いられるだろう。
【００３７】
図５は、スローモーション記録のための処理を示すのに有用なフローチャートである。図５に示すように、本処理は、ステップ５００で開始する。ステップ５０２では、制御ＣＰＵ１２２は、スローモーションビデオを要求するユーザ入力があるか否かを判定する。成立時には、ステップ５０４で、ＤＶＤデバイスは、選択されたモーション速度“ｓ”と、持続時間“ｔ”によって定義できるソースビデオセグメントの指示とに対するユーザ入力を受けることができる。ステップ５０６では、システムは、ソースビデオピクチャＰ１をデコードすることによって入力ビデオストリームを処理し始める。ステップ５０８では、システムパケット映像エンコーダ１４４は、選択されたフレームにソースビデオピクチャをエンコードし、データは、ＤＶＤデバイスに連続的に記憶される。ステップ５１０では、ＤＶＤエンコーダ１４４は、選択されたソースビデオピクチャのｓ−１のコピーを、ＤＶＤ媒体上の選択されたフレームの近傍のｓ−１のフレームにエンコードする。最終的に、ステップ５１２で、制御ＣＰＵは、時間“ｔ”が経過した否かを判定する。成立した場合、本処理は、ステップ５１６で終了する。不成立の場合、システムは、次いで、次のソースピクチャをエンコードするステップ５１４の処理を行い、ステップ５０８から処理を継続する。
【００３８】
図６は、３Ｘでのファーストモーション記録が示される本発明の代替実施例であり、Ｘは、元の記録画像の動きに一致する通常時の動き再生及び記録速度を表わす。図６中の共通の要素は、図４に関連して説明した同一の参照番号を用いて説明される。
【００３９】
図１及び図６を参照するに、ファーストモーション記録に対して、ユーザは、ファーストモーション速度“ｎ”を設定できると共に、拡張機能型のバッファ１３６への入力を制御することによってソースビデオセグメントを選択できる。次いで、ＣＰＵ１２２は、ピクチャＰ１乃至Ｐ９のうちのｎ番目のピクチャのみを用いて、“ｔ０”から“ｔ０＋ｔ”の時間間隔で一のＭＰＥＧピクチャを生成するように、エンコーダ１４４を構築する。エンコーダ１４４は、ＭＰＥＧピクチャ４０２を完成した後、好ましくは次のピクチャＰ２、Ｐ３を全体でｎ−１回ドロップ（破棄）し、代わりにｎ番目の次のピクチャ（本例では、Ｐ４）を用いて次のＭＰＥＧピクチャ４０４を生成する。ＤＶＤビデオビットストリームの“ｔ／ｎ”の全体長さが、記録可能な媒体に“ｔ”秒で記録されるので、ファーストモーションピクチャーは、実時間で記録できる。図６では、ｎは、３である。
【００４０】
図７は、ファーストモーション記録のための処理を示すのに有用なフローチャートである。本処理は、ステップ７００で開始する。ステップ７０２では、ＣＰＵ１２２は、ファーストモーションビデオ記録のユーザ要求を受けたか否かを判定する。該当する場合、システムは、ステップ７０４に進み、選択されたモーション速度“ｎ”と、通常記録速度若しくは標準記録速度での持続時間“ｔ”によって定義できる選択されたビデオセグメントの指示とに対するユーザ入力を受ける。ステップ７０６では、パケット映像エンコーダ１４４は、第１の選択されたビデオソースピクチャを処理する。ステップ７０８では、選択されたソースビデオピクチャは、エンコーダ１４４によってエンコードされ、次いで図６に示すようなＤＶＤの選択されたフレームに記録される。ステップ７１０では、エンコーダ１４４は、選択されたソースビデオピクチャに後続する連続的にｎ−１のソースビデオピクチャ（図６中のＰ２、Ｐ３）をドロップする。これらのピクチャは、エンコードされずＤＶＤ媒体に記憶されない。ステップ７１２では、システム制御ＣＰＵ１２２は、ファーストモーション記録に対する時間が、経過した記録時間とユーザの選択した値ｔと比較することによって、経過したか否かを判定する。時間＝ｔの場合、処理は、ステップ７１６で終了する。記録セクションに対する時間ｔが経過していない場合、システムはステップ７１４に進み、次のピクチャ（図６中Ｐ４）がデコードされる。次いで、システムは、ステップ７０８に進み、ユーザの選択した時間が最終的に経過するまで処理が反復される。
【００４１】
好ましい実施例によると、スローモーション若しくはファーストモーション記録を生成するためにここで用いられるソースビデオは、記録処理の持続時間に対して通常再生速度で再生される。しかし、当業者であれば、本発明はこの点に限定されることなく、ここで言及した以外の映像データが連続的に記録されている場合に、他のソースビデオ再生記録速度も適用可能であることを理解するだろう。
【図面の簡単な説明】
【図１】  本発明による一若しくはそれ以上の拡張型動作機能を備えることができる、書き換え可能なＤＶＤデバイスのブロック図である。
【図２】  書き換え可能なＤＶＤ上の螺旋状のトラックを示す図である。
【図３】  ビデオ・オブジェクト・セットにおけるビデオ・オブジェクトユニットの構成を説明する図である。
【図４】  本発明による１／３Ｘでのスローモーション記録を説明する図である。
【図５】  スローモーション記録用の処理を示すフローチャートである。
【図６】  本発明による３Ｘでのファーストモーション記録を説明する図である。
【図７】  ファーストモーション記録用の処理を示すフローチャートである。
【図１】
0004895455.tif 000002
【図２】
0004895455.tif 000003
【図３】
0004895455.tif 000004
【図４】
0004895455.tif 000005
【図５】
0004895455.tif 000006
【図６】
0004895455.tif 000007
【図７】
0004895455.tif 000008